(57)【要約】表面に溝状のスリットをセルブロックで設けるとともに、裏面に前記スリットに連通する坏土導入孔を設けた構造を有するハニカム成形用口金と、当該ハニカム成形用口金の外周部に配置され、ハニカム成形体の形状及び寸法を規定する枠状の押さえ板とを備えた、ハニカム成形体を押出成形するための押出成形用金型である。前記セルブロックの内、成形用坏土の押出方向において、その端面が前記押さえ板の内周面と重なる位置にあるセルブロックが、前記押さえ板の内周面よりも内側にある他のセルブロックより短く形成されている。
2008093760.tif 000002
【特許請求の範囲】
【請求項１】
表面に溝状のスリットをセルブロックで設けるとともに、裏面に前記スリットに連通する坏土導入孔を設けた構造を有するハニカム成形用口金と、当該ハニカム成形用口金の外周部に配置され、ハニカム成形体の形状及び寸法を規定する枠状の押さえ板とを備えた、ハニカム成形体を押出成形するための押出成形用金型であって、
前記セルブロックの内、成形用坏土の押出方向において、その端面が前記押さえ板の内周面と重なる位置にあるセルブロックが、前記押さえ板の内周面よりも内側にある他のセルブロックより短く形成されている押出成形用金型。
【請求項２】
前記セルブロックの内、成形用坏土の押出方向において、その端面が前記押さえ板の内周面と重なる位置にあるセルブロックが、前記押さえ板の内周面よりも内側にある他のセルブロックより１．０ｍｍ以上短く形成されている請求項１に記載の押出成形用金型。
【請求項３】
表面に溝状のスリットをセルブロックで設けるとともに、裏面に前記スリットに連通する坏土導入孔を設けた構造を有するハニカム成形用口金と、当該ハニカム成形用口金の外周部に配置され、ハニカム成形体の形状及び寸法を規定する枠状の押さえ板とを備え、前記セルブロックの周囲が前記押さえ板の内周面に取り囲まれた状態となっており、かつ、最外周部に位置するセルブロックの端面が、前記押さえ板の内周面からハニカム成形体の外周壁の厚みに相当する間隔を隔てて、前記押さえ板の内周面に沿った形状を有している、ハニカム成形体を押出成形するための押出成形用金型であって、
前記最外周部に位置するセルブロックの内、当該セルブロックよりも内側にある他のセルブロックと異なる端面形状を有するセルブロックが、当該セルブロックよりも内側にある他のセルブロックより短く形成されている押出成形用金型。
【請求項４】
前記最外周部に位置するセルブロックの内、当該セルブロックよりも内側にある他のセルブロックと異なる端面形状を有するセルブロックが、当該セルブロックよりも内側にある他のセルブロックより１．０ｍｍ以上短く形成されている請求項３に記載の押出成形用金型。
【請求項５】
請求項１〜４の何れか一項に記載の押出成形用金型を使用してハニカム成形体の押出成形を行うハニカム成形体の成形方法。
【請求項６】
隔壁によって、二つの端面の間を連通する複数のセルが区画形成されたハニカム成形体であって、
各セルが所定の形状及び寸法を有し、最外周部に前記所定の形状及び寸法と異なる形状及び寸法を有するセルが存在しないハニカム成形体。
【請求項７】
請求項５に記載の成形方法によって成形された、請求項６に記載のハニカム成形体。
【発明の詳細な説明】
【技術分野】
【０００１】
本発明は、ハニカム成形体の押出成形に好適に用いられる押出成形用金型、当該押出成形用金型を用いたハニカム成形体の成形方法、及び当該成形方法により得られるハニカム成形体に関する。
【背景技術】
【０００２】
ディーゼルエンジン等の内燃機関から排出される排ガスには、環境汚染の原因となるような炭素を主成分とするパティキュレート（粒子状物質）が多量に含まれているため、それらの排気系には、パティキュレートを捕集（濾過）するためのフィルターが搭載されるのが一般的ある。【０００３】
通常、このような目的で使用されるフィルターには、図６Ａ及び図６Ｂに示すように、多孔質の隔壁３７によって、二つの端面の間を連通する複数のセル３９が区画形成されたハニカム構造体３２と、前記各セル３９の二つの開口端のうちの何れか一方を目封止するように、ハニカム構造体３２の一端面側と他端面側とで相補的な市松模様状に配設された目封止部４０とを備える目封止ハニカム構造体３１が用いられる。【０００４】
排ガスは、このような目封止ハニカム構造体３１からなるフィルターの一方の端面３３から内部に流入し、ガス中に含まれるパティキュレート等が除去された後、他方の端面３５から流出する。具体的には、まず排ガスは、このフィルターの一方の端面３３において端部が封止されておらず他方の端面３５において端部が封止されたセル３９ｂに流入し、多孔質の隔壁３７を通って、一方の端面３３において端部が封止され他方の端面３５において端部が封止されていないセル３９ａに移動し、このセル３９ａから排出される。そして、この際に隔壁３７が濾過層となり、ガス中のパティキュレートが隔壁３７に捕捉され隔壁３７上に堆積する。【０００５】
上記のような目封止ハニカム構造体の製造方法として、ハニカム成形体の端面に、透明なシート等を貼着して、当該端面を撮像した後、撮像した画像を画像処理することにより各セルの位置を認識し、それに基づいて前記シートの目封じすべきセルに対応した位置にレーザー加工等により穿孔処理を行い、その後、目封止部の材料をスラリー化した目封止用スラリーにハニカム成形体の端部を浸漬し、穿孔処理によりシートに穿たれた孔から、目封じすべきセルの端部に目封止用スラリーを充填して目封止部を形成するという方法が知られている（例えば、特許文献１参照）。【０００６】
この製造方法では、前記のとおり、セルの位置の認識を画像認識により行う。具体的にはＣＣＤ（ｃｈａｒｇｅ−ｃｏｕｐｌｅｄ  ｄｅｖｉｃｅ）カメラ等により撮像されたハニカム成形体の端面の画像を二値化処理し、二値化処理後の画像中の一塊の黒い像が所定のセル形状（例えば四角形）を成しているか、あるいは所定のセル面積の一定割合（例えば８０％以上）に達している場合に、その像をセルとみなし、その位置を認識する。なお、所定のセル形状を成していなかったり、所定のセル面積の一定割合に達していない像は、ハニカム成形体の端面に付着した埃等の異物とみなし、その位置に誤って穿孔処理を施さないようにしている。【０００７】
しかしながら、セルの内、ハニカム成形体の最外周部に位置するセル（ハニカム成形体の外周壁と接しているセル）は、他のセルに比して、一部分が欠けた形状をしており、かつ、面積も小さくなっているため、前記のような画像処理では、セルとしてその位置が認識されない場合が多い。このため、当該セルが本来は目封止されるべきものであっても、シートの当該セルに対応した位置には穿孔処理がなされず、当該セルに目封止用スラリーが充填されないため、結果的に目封止部が形成されず、両端部とも開放されたままのセルが残ることになる。【０００８】
このような両端部とも開放されたままのセルにおいては、それに流入した排ガス中のパティキュレートの大部分が捕捉されることなくフィルターを通過することになるため、当該セルの存在はフィルターとしての性能を低下させる要因となる。【０００９】
なお、目封止部の形成することにより目封止ハニカム構造体の作製に供されるハニカム成形体は、通常、図４のような押出成形用金型を用いて成形される。この押出成形用金型４１は、表面に溝状のスリット４をセルブロック５で設けるとともに、裏面にスリット５に連通する坏土導入孔（裏孔）６を設けた構造を有するハニカム成形用口金２と、ハニカム成形用口金２の外周部に配置され、ハニカム成形体の形状及び寸法を規定する枠状の押さえ板３とを備えており、裏面側から供給された成形用坏土が、坏土導入孔６からハニカム成形用口金２内に導入され、スリット４を通ってハニカム成形用口金２の表面から押し出され、ハニカム成形体となる（例えば、特許文献２参照）。【００１０】
前記のような、他のセルに比して、一部分が欠けた形状を有する最外周部に位置するセル（以下、「不完全セル」と言う場合がある。）は、ハニカム成形用口金２のセルブロックの内、成形用坏土の押出方向において、その端面５ａ’が押さえ板３の内周面３ａと重なる位置にあるセルブロック５’の周囲を通過した坏土により形成される。図４に示す従来の押出成形用金型４１においては、少なくともその端面５ａ、５ａ’の一部が押さえ板３の内周面３ａよりも内側にあるセルブロック５、５’は、全て同一の長さを有する、すなわち、それらセルブロック５、５’の端面５ａ、５ａ’が全て同一平面上に有るのが一般的である。
【特許文献１】特開２００１−３００９２２号公報
【特許文献２】特開２００３−２８５３０８号公報
【発明の開示】
【００１１】
本発明は、上述のような従来技術の問題点に鑑みてなされたものであって、その目的とするところは、各セルが所定の形状及び寸法を有し、最外周部に前記所定の形状及び寸法と異なる形状及び寸法を有するセルが存在しないハニカム成形体を提供することにある。
【００１２】
上記目的を達成するため、本発明によれば、以下の押出成形用金型、ハニカム成形体の成形方法及びハニカム成形体が提供される。
【００１３】
［１］表面に溝状のスリットをセルブロックで設けるとともに、裏面に前記スリットに連通する坏土導入孔を設けた構造を有するハニカム成形用口金と、当該ハニカム成形用口金の外周部に配置され、ハニカム成形体の形状及び寸法を規定する枠状の押さえ板とを備えた、ハニカム成形体を押出成形するための押出成形用金型であって、前記セルブロックの内、成形用坏土の押出方向において、その端面が前記押さえ板の内周面と重なる位置にあるセルブロックが、前記押さえ板の内周面よりも内側にある他のセルブロックより短く形成されている押出成形用金型（第一の押出成形用金型）。
【００１４】
［２］前記セルブロックの内、成形用坏土の押出方向において、その端面が前記押さえ板の内周面と重なる位置にあるセルブロックが、前記押さえ板の内周面よりも内側にある他のセルブロックより１．０ｍｍ以上短く形成されている［１］に記載の押出成形用金型。
【００１５】
［３］表面に溝状のスリットをセルブロックで設けるとともに、裏面に前記スリットに連通する坏土導入孔を設けた構造を有するハニカム成形用口金と、当該ハニカム成形用口金の外周部に配置され、ハニカム成形体の形状及び寸法を規定する枠状の押さえ板とを備え、前記セルブロックの周囲が前記押さえ板の内周面に取り囲まれた状態となっており、かつ、最外周部に位置するセルブロックの端面が、前記押さえ板の内周面からハニカム成形体の外周壁の厚みに相当する間隔を隔てて、前記押さえ板の内周面に沿った形状を有している、ハニカム成形体を押出成形するための押出成形用金型であって、前記最外周部に位置するセルブロックの内、当該セルブロックよりも内側にある他のセルブロックと異なる端面形状を有するセルブロックが、当該セルブロックよりも内側にある他のセルブロックより短く形成されている押出成形用金型（第二の押出成形用金型）。
【００１６】
［４］前記最外周部に位置するセルブロックの内、当該セルブロックよりも内側にある他のセルブロックと異なる端面形状を有するセルブロックが、当該セルブロックよりも内側にある他のセルブロックより１．０ｍｍ以上短く形成されている［３］に記載の押出成形用金型。
【００１７】
［５］［１］〜［４］の何れかに記載の押出成形用金型を使用してハニカム成形体の押出成形を行うハニカム成形体の成形方法。
【００１８】
［６］隔壁によって、二つの端面の間を連通する複数のセルが区画形成されたハニカム成形体であって、各セルが所定の形状及び寸法を有し、最外周部に前記所定の形状及び寸法と異なる形状及び寸法を有するセルが存在しないハニカム成形体。
【００１９】
［７］［５］に記載の成形方法によって成形された、［６］に記載のハニカム成形体。
【００２０】
本発明の押出成形用金型を用いてハニカム成形体の成形を行えば、各セルが所定の形状及び寸法を有し、最外周部に前記所定の形状及び寸法と異なる形状及び寸法を有するセルが存在しないハニカム成形体を得ることができる。このような構造を有するハニカム成形体は、画像認識では認識が困難な不完全セルが存在しないため、ディーゼルパティキュレートフィルター（ＤＰＦ）等の用途に利用することを目的として、各セルの一方の端部を目封止する場合において、画像処理により各セルの位置を正確に認識して、目封止しようとするセルの端部にほぼ確実に目封止部を形成することができる。
【図面の簡単な説明】
【００２１】
【図１】本発明に係る第一の押出成形用金型の実施形態の一例を示す概略断面図である。
【図２Ａ】本発明に係る第二の押出成形用金型の実施形態の一例を示す概略断面図である。
【図２Ｂ】本発明に係る第二の押出成形用金型の実施形態の一例を示す概略部分平面図である。
【図３】本発明に係る成形方法の実施形態の一例を示す概略断面図である。
【図４】従来の押出成形用金型の実施形態の一例を示す概略断面図である。
【図５】従来の押出成形用金型の実施形態の一例を示す概略断面図である。
【図６Ａ】目封止ハニカム構造体の基本的な構造を示す一端面側から見た概略平面図である。
【図６Ｂ】目封止ハニカム構造体の基本的な構造を示す概略断面図である。
【図７】実施例１により得られたハニカム成形体の要部を示す部分拡大写真である。
【図８】実施例１により得られたハニカム成形体の要部を示す部分拡大写真である。
【図９】比較例により得られたハニカム成形体の要部を示す部分拡大写真である。
【符号の説明】
【００２２】
１：押出成形用金型、２：ハニカム成形用口金、３：押さえ板、３ａ：内周面、４：スリット、５：セルブロック、５’：セルブロック、５ａ：端面、５ａ’：端面、６：坏土導入孔、７：間隙、８：空間部、９：スペーサ、１０：点線部分、１１：押出成形用金型、１２：ハニカム成形用口金、１３：押さえ板、１３ａ：内周面、１４：スリット、１５：セルブロック、１５’：セルブロック、１５ａ：端面、１５ａ’：端面、１６：坏土導入孔、１８：空間部、１９：スペーサ、２１：押出通路、３１：目封止ハニカム構造体、３２：ハニカム構造体、３３：端面、３５：端面、３７：隔壁、３９：セル、４０：目封止部、４１：押出成形用金型。
【発明を実施するための最良の形態】
【００２３】
以下、本発明の代表的な実施形態について具体的に説明するが、本発明は以下の実施形態に限定されるものではなく、本発明の趣旨を逸脱しない範囲で、当業者の通常の知識に基づいて、適宜設計の変更、改良等が加えられることが理解されるべきである。【００２４】
図１は、本発明に係る第一の押出成形用金型の実施形態の一例を示す概略断面図である。本発明の第一の押出成形用金型１は、ハニカム成形用口金２と押さえ板３とを備える。ハニカム成形用口金２は、表面に溝状のスリット４をセルブロック５で設けるとともに、裏面にスリット４に連通する坏土導入孔（裏孔）６を設けた構造を有する。押さえ板３は、ハニカム成形体の形状及び寸法を規定するための枠状の部材であり、ハニカム成形用口金２の外周部にスペーサ９を介して配置される。【００２５】
セルブロック５は、押出成形するハニカム成形体のセルと同一の断面形状を持った柱状の部位で、その周囲のスリット４を通過して押し出された坏土からなる隔壁によってセルが区画形成される。前述のとおり、図４に示す従来の押出成形用金型４１においては、少なくともその端面５ａ、５ａ’の一部が押さえ板３の内周面３ａより内側に位置するセルブロック５、５’が、全て同一の長さを有し、それらセルブロック５、５’の端面が全て同一平面上にある。【００２６】
これに対し、本発明の第一の押出成形用金型においては、その特徴的な構造として、ハニカム成形用口金２のセルブロックの内、成形用坏土の押出方向において、その端面５ａ’が押さえ板３の内周面３ａと重なる位置にあるセルブロック５’が、押さえ板３の内周面３ａよりも内側にある他のセルブロック５より短く形成されている。すなわち、このセルブロック５’は、その端面５ａ’が他のセルブロック５の端面５ａと同一平面上に無く、ハニカム成形用口金２の表面から見て、押出方向と反対の方向に引っ込んだ状態となっている。より具体的には、図５に示す従来構造の押出成形用金型４１において、その端面が押さえ板３の内周面３ａと重なる位置にあるセルブロックの点線部分１０が除去された状態になっており、当該点線部分１０の除去により、本発明の第一の押出成形用金型１には、図１のように従来構造の押出成形用金型には無い空間部８が形成されている。【００２７】
このような第一の押出成形用金型１を用いたハニカム成形体の成形において、ハニカム成形用口金２の裏面側から供給された成形用坏土が、坏土導入孔６からハニカム成形用口金２内に導入され、スリット４を通ってハニカム成形用口金２の表面から押し出され、ハニカム成形体となる。なお、スペーサ９によって形成された、ハニカム成形用口金２と押さえ板３との間隙７より押し出された坏土は、主にハニカム成形体の外周壁を形成する。ここで、従来構造の押出成形用金型４１を用いた場合には、その端面５ａ’が押さえ板３の内周面３ａと重なる位置にあるセルブロック５’の周囲を通過した坏土により、不完全セルが形成されることになるが、本発明の第一の押出成形用金型１を用いた場合には、その端面５ａ’が押さえ板３の内周面３ａと重なる位置にあるセルブロック５’が短く形成され、それにより当該セルブロック５’の延長部分に空間部８が形成されているため、セルブロック５’の周囲を通過した坏土は、セルブロック５’の端部から空間部８内に流れ込み、この空間部８内に流れ込んだ坏土によって、従来は不完全セルとなるはずであったセルが閉塞された状態で押し出され、その結果、不完全セルが存在しないハニカム成形体が得られる。【００２８】
本発明の第一の押出成形用金型１においては、ハニカム成形用口金２のセルブロックの内、成形用坏土の押出方向において、その端面５ａ’が押さえ板３の内周面３ａと重なる位置にあるセルブロック５’が、押さえ板３の内周面３ａよりも内側にある他のセルブロック５より１．０ｍｍ以上短く形成されていることが好ましい。これが１．０ｍｍ未満では、セルの閉塞が不完全となる場合がある。【００２９】
図２Ａ、図２Ｂは、本発明に係る第二の押出成形用金型の実施形態の一例を示す概略図で、図２Ａが断面図、図２Ｂが部分平面図である。本発明の第二の押出成形用金型１１は、ハニカム成形用口金１２と押さえ板１３とを備える。ハニカム成形用口金１２は、表面に溝状のスリット１４をセルブロック１５で設けるとともに、裏面にスリット１４に連通する坏土導入孔（裏孔）１６を設けた構造を有する。押さえ板１３は、ハニカム成形体の形状及び寸法を規定するための枠状の部材であり、ハニカム成形用口金１２の外周部にスペーサ１９を介して配置される。セルブロックは、その周囲が押さえ板１３の内周面１３ａに取り囲まれた状態となっており、かつ、最外周部に位置するセルブロックの端面が、押さえ板１３の内周面１３ａからハニカム成形体の外周壁の厚みに相当する間隔Ｃを隔てて、押さえ板１３の内周面１３ａに沿った形状を有している。【００３０】
そして、この第二の押出成形用金型１１は、その特徴的な構造として、ハニカム成形用口金１２の最外周に位置するセルブロックの内、当該セルブロックよりも内側にある他のセルブロック１５と異なる端面形状を有するセルブロック１５’が、当該セルブロックよりも内側にある他のセルブロック１５より短く形成されている。すなわち、このセルブロック１５’は、その端面１５ａ’が他のセルブロック１５の端面１５ａと同一平面上に無く、ハニカム成形用口金１２の表面から見て、押出方向と反対の方向に引っ込んだ状態となっており、これにより、セルブロック１５’の延長部分に空間部１８が形成されている。【００３１】
このような第二の押出成形用金型１１を用いたハニカム成形体の成形において、ハニカム成形用口金１２の裏面側から供給された成形用坏土が、坏土導入孔１６からハニカム成形用口金１２内に導入され、スリット１４を通ってハニカム成形用口金１２の表面から押し出され、ハニカム成形体となる。ここで、仮にセルブロック１５’が、他のセルブロック１５と同じ長さを有し、空間部１８が形成されていない場合には、セルブロック１５’の周囲を通過した坏土により、不完全セルが形成されることになるが、本発明の第二の押出成形用金型１１では、セルブロック１５’が他のセルブロック１５より短く形成され、それにより当該セルブロック１５’の延長部分に空間部１８が形成されているため、セルブロック１５’の周囲を通過した坏土は、セルブロック１５’の端部から空間部１８内に流れ込み、この空間部１８内に流れ込んだ坏土によって、不完全セルとなるはずであったセルが閉塞された状態で押し出され、その結果、不完全セルが存在しないハニカム成形体が得られる。【００３２】
本発明の第二の押出成形用金型１１においては、最外周部に位置するセルブロックの内、当該セルブロックよりも内側にある他のセルブロック１５と異なる端面形状を有するセルブロック１５’が、当該セルブロックよりも内側にある他のセルブロック１５より１．０ｍｍ以上短く形成されていることが好ましい。これが１．０ｍｍ未満では、セルの閉塞が不完全となる場合がある。【００３３】
本発明のハニカム成形体の成形方法は、本発明の第一の押出成形用金型又は第二の押出成形用金型を使用してハニカム成形体の押出成形を行うものである。すなわち、図３に示すように、押出成形装置の押出通路２１内に、本発明の第一の押出成形用金型１（又は第二の押出成形用金型１１）を設置し、当該通路２１内に成形用の坏土を供給して、本発明の押出成形用金型１（又は第二の押出成形用金型１１）を通過させることにより、ハニカム成形体の押出成形を行う。この成形方法にハニカム成形体の成形を行えば、不完全セルが存在しないハニカム成形体を容易に得ることができる。【００３４】
本発明のハニカム成形体は、隔壁によって、二つの端面の間を連通する複数のセルが区画形成されたハニカム成形体であって、各セルが所定の形状及び寸法を有し、最外周部に前記所定の形状及び寸法と異なる形状及び寸法を有するセルが存在しないことを、その特徴とするものである。すなわち、本発明のハニカム成形体に存在するセルは、すべて同一の形状及び寸法を有するものであり、画像認識では認識が困難な不完全セルが存在しない。このため、ＤＰＦ等の用途に利用することを目的として、各セルの一方の端部を目封止する場合において、画像処理により各セルの位置を高い精度で認識でき、目封止しようとするセルの端部にほぼ確実に目封止部を形成することが可能である。このようなハニカム成形体は、前記本発明の成形方法を用いることによって、容易に成形することができる。
【実施例】
【００３５】
以下、本発明を実施例に基づいて更に詳細に説明するが、本発明はこれらの実施例に限定されるものではない。【００３６】
（実施例１）
図１に示すように、表面に溝状のスリット４をセルブロック５で設けるとともに、裏面にスリット４に連通する坏土導入孔６を設けた構造を有するハニカム成形用口金２と、このハニカム成形用口金２の外周部に配置され、ハニカム成形体の形状及び寸法を規定する枠状の押さえ板３とを備え、前記セルブロックの内、成形用坏土の押出方向において、その端面５ａ’が押さえ板３の内周面３ａと重なる位置にあるセルブロック５’が、押さえ板３の内周面３ａよりも内側にある他のセルブロック５より１．０ｍｍ短く形成された本発明の第一の押出成形用金型を使用して、ハニカム成形体の押出成形を行った。成形用坏土には、タルク、カオリン、アルミナ、シリカからなる原料粉末１００質量部に、バインダーとしてのメチルセルロースを５質量部と、水を２５質量部加え、混練機にて混練したものを用いた。こうして得られたハニカム成形体は、図７及び図８の部分拡大写真に示すように各セルが所定の形状及び寸法を有し、最外周部に不完全セルが存在しないものであった。【００３７】
（実施例２）
図２Ａ、図２Ｂに示すように、表面に溝状のスリット１４をセルブロック１５で設けるとともに、裏面にスリット１４に連通する坏土導入孔１６を設けた構造を有するハニカム成形用口金１２と、このハニカム成形用口金１２の外周部に配置され、ハニカム成形体の形状及び寸法を規定する枠状の押さえ板１３とを備え、セルブロックの周囲が押さえ板１３の内周面１３ａに取り囲まれた状態となっており、かつ、最外周部に位置するセルブロックの端面が、押さえ板１３の内周面１３ａからハニカム成形体の外周壁の厚みに相当する間隔Ｃを隔てて、押さえ板１３の内周面１３ａに沿った形状を有しており、最外周に位置するセルブロックの内、当該セルブロックよりも内側にある他のセルブロック１５と異なる端面形状を有するセルブロック１５’が、当該セルブロックよりも内側にある他のセルブロック１５より１．０ｍｍ短く形成された本発明の第二の押出成形用金型を使用して、ハニカム成形体の押出成形を行った。成形用坏土には、前記実施例１と同じものを使用した。こうして得られたハニカム成形体は、実施例１で得られたハニカム成形体と同様に、各セルが所定の形状及び寸法を有し、最外周部に不完全セルが存在しないものであった。【００３８】
（比較例）
図４に示すように、表面に溝状のスリット４をセルブロック５で設けるとともに、裏面にスリット４に連通する坏土導入孔６を設けた構造を有するハニカム成形用口金２と、このハニカム成形用口金２の外周部に配置され、ハニカム成形体の形状及び寸法を規定する枠状の押さえ板３とを備え、少なくともその端面５ａ、５ａ’の一部が押さえ板３の内周面３ａよりも内側にあるセルブロック５、５’が、全て同一の長さを有する従来構造の押出成形用金型を使用して、ハニカム成形体の押出成形を行った。成形用坏土には、前記実施例１と同じものを使用した。こうして得られたハニカム成形体は、図９の部分拡大写真に示すように最外周部に不完全セルが形成されたものであった。
【産業上の利用可能性】
【００３９】
本発明は、ＤＰＦのように、セルの一方の端部を目封止して使用するハニカム成形体の成形に好適に利用することができる。
【図１】
2008093760.tif 000003
【図２Ａ】
2008093760.tif 000004
【図２Ｂ】
2008093760.tif 000005
【図３】
2008093760.tif 000006
【図４】
2008093760.tif 000007
【図５】
2008093760.tif 000008
【図６Ａ】
2008093760.tif 000009
【図６Ｂ】
2008093760.tif 000010
【図７】
2008093760.tif 000011
【図８】
2008093760.tif 000012
【図９】
2008093760.tif 000013
【国際調査報告】
2008093760.tif 000014
2008093760.tif 000015
2008093760.tif 000016
2008093760.tif 000017